(57)【要約】【課題】打感が良く、しかも飛びが安定しているアイアン型ゴルフクラブヘッドを提供する。【解決手段】ゴルフクラブヘッド１は、ヘッド本体１０と、該ヘッド本体１０の凹部１３に圧入されて固着された充填体２０と、この充填体２０の後面側に配置され、且つヘッド本体１０のソール部１２に固着されたバックウェイト３０とを有する。充填体２０としては、チタン、チタン合金、アルミ、アルミ合金、マグネシウム合金が好適である。バックウェイト３０は、ヘッド本体１０と同一材料であってもよいが、それよりも高比重の金属製としてもよい。【選択図】　図２
2004016737.tif 000002
【特許請求の範囲】
【請求項１】
前面がフェース面であり、下部がソール部であり、背面には該ソール部よりも上位に凹部が形成されている金属製のヘッド本体と、
該凹部に充填された、該金属よりも低比重の低比重金属よりなる充填体と
を有するアイアン型ゴルフクラブヘッドにおいて、
該ソール部に固着され、該充填体の後面の下部を覆っているバックウェイトが設けられていることを特徴とするアイアン型ゴルフクラブヘッド。
【請求項２】
請求項１において、前記バックウェイトは、前記充填体の両側方部分においても前記ヘッド本体の背面に固着されていることを特徴とするアイアン型ゴルフクラブヘッド。
【請求項３】
請求項１又は２において、前記バックウェイトは前記ヘッド本体と同一の金属又はそれよりも高比重の金属製とされていることを特徴とするアイアン型ゴルフクラブヘッド。
【請求項４】
請求項１ないし３のいずれか１項において、前記バックウェイトは前記充填体とカシメにより固着されていることを特徴とするアイアン型ゴルフクラブヘッド。
【発明の詳細な説明】
【０００１】
【発明の属する技術分野】
本発明はアイアン型ゴルフクラブヘッドに係り、特にヘッド本体の後面に凹部が設けられ、この凹部に低比重金属が充填されたタイプのアイアン型ゴルフクラブヘッドの改良に関する。
【０００２】
【従来の技術】
特開平１１−４９２２号の第０００３〜０００４，００１４〜００１９段落に記載の通り、アイアン型ゴルフクラブヘッドとして、ヘッド本体の背面に設けられた凹部を空所のままとしたキャビティバックタイプのものや、この凹部に低比重金属を充填したタイプのものが公知である。前者のキャビティバックタイプのアイアン型ゴルフクラブヘッドはスイートスポットが大きい。一方、凹部に低比重金属を充填した後者のタイプのアイアン型ゴルフクラブヘッドは、同号公報第００１９段落の通り、スイートスポットが大きいと共に、ソリッドバックタイプ（マッスルバックタイプ）となるため打感に優れ且つスピンの利いた打球を得ることができる。
【０００３】
【発明が解決しようとする課題】
本発明は、上記のように背面の凹部に低比重金属を充填したタイプのアイアン型ゴルフクラブヘッドにおいて、重心を低くし且つ重心深度を深くすることを目的とする。
【０００４】
【課題を解決するための手段】
本発明のアイアン型ゴルフクラブヘッドは、前面がフェース面であり、下部がソール部であり、背面には該ソール部よりも上位に凹部が形成されている金属製のヘッド本体と、該凹部に充填された、該金属よりも低比重の低比重金属よりなる充填体とを有するアイアン型ゴルフクラブヘッドにおいて、該ソール部に固着され、該充填体の後面の下部を覆っているバックウェイトが設けられていることを特徴とするものである。
【０００５】
かかる本発明のアイアン型ゴルフクラブヘッドにあっては、ヘッド本体の背面に凹部が設けられており、この凹部に充填された金属がヘッド本体より比重の小さい低比重金属であるため、スイートスポットが広い。しかも、ソリッドバックタイプであるから、打感に優れ且つスピンの利いた打球が得られる。本発明では、この凹部に充填された低比重金属の後面にバックウェイトが設けられているので、重心深度が深い。しかも、このバックウェイトは下部に配置されているので、ゴルフクラブヘッドの重心が低くなり、高い打出し角度を得ることができる。
【０００６】
このバックウェイトは、充填体の両側方においてもヘッド本体の背面に固着されていることが好ましい。
【０００７】
バックウェイトは、ヘッド本体と同一の金属又はそれよりも高比重の金属よりなることが好ましい。
【０００８】
このバックウェイトは充填体に対しカシメにより固着されていることが好ましい。
【０００９】
なお、ヘッド本体とバックウェイトの当接部分を溶接して固着し、研磨してもよく、このようにすればヘッドの外観が美麗なものとなる。
【００１０】
【発明の実施の形態】
以下、図面を参照して実施の形態について説明する。第１図は本発明の実施の形態に係るアイアン型ゴルフクラブヘッドの背後側からの斜視図、第２図は第１図のＩＩ−ＩＩ線に沿う断面図である。
【００１１】
このゴルフクラブヘッド１は、ヘッド本体１０と、該ヘッド本体１０の凹部１３に固着された充填体２０と、この充填体２０の後面側に配置され、且つヘッド本体１０のソール部１２に固着されたバックウェイト３０とを有する。
【００１２】
ヘッド本体１０は、前面がフェース面１１であり、下部がソール部１２であり、背面には凹部１３が設けられている。この凹部１３は、ヘッド本体１０の背面の上部、下部及び両側部のいずれからも凹陥している。
【００１３】
この凹部１３内の深さ方向の底面（フェース面１１の裏側面）には凸部１４が設けられている。この凸部１４は、基端側（付け根側）の方が先端側（高さ方向の先端側）よりも細まっているアリ形状のものである。凸部１４は、ヘッド本体１０の幅方向（トウ１５とヒール１６とを結ぶ方向）に延在しているが、凹部１３の該幅方向の両端には達していない。凸部１４は、この実施の形態では１個だけ設けられているが、該幅方向に複数個に分かれて設けられてもよく、またヘッド本体１０の上下方向に複数個に分かれて設けられてもよい。
【００１４】
ヘッド本体１０にはホゼル部１７が設けられている。このホゼル部１７にシャフトが挿入され、接着剤で固定されることによりゴルフクラブが構成される。
【００１５】
このヘッド本体１０は、高比重金属好ましくは鋼材より構成されている。鋼材としては、ヘッド本体１０を鍛造するときにはＳ２５Ｃなどの低炭素鋼が好適である。鋳造のときにはＳＵＳ３０４などが加工性も良く好ましい。
【００１６】
このヘッド本体１０のフェース部の厚さｔは１〜３ｍｍが好ましい。この厚さｔが１ｍｍよりも小さいと、充填体２０の圧入時にフェース部が変形するおそれがある。３ｍｍよりも厚いと、ゴルフクラブヘッド１の重心深度が浅くなったり、またゴルフクラブヘッド１の重量が過度に大きくなるおそれがある。
【００１７】
凹部１３のソール部１２側における深さｄは５〜３０ｍｍ特に８〜２０ｍｍ程度が好ましい。
【００１８】
なお、充填体２０のヘッド本体１０への固着強度を高めるために、凹部１３は、その入口側（ヘッド本体１０の後端側）が奥側よりも狭いアリ穴状とされるのが好ましい。
【００１９】
凸部１４は例えば機械加工により形成される。この凸部１４の高さは１．０〜３．０ｍｍ程度が好ましい。当然ながら、この凸部１４の高さは凹部１３の深さよりも小さい。
【００２０】
凹部１３内に装着された充填体２０は、好ましくは比重が５．０以下特に好ましくは１．７〜４．６の低比重金属よりなる。
【００２１】
この充填体２０は、凹部１３内に圧入されることにより該凸部１４と係合され、また凹部１３の内面全体に密着される。
【００２２】
この圧入時の充填体金属材料の塑性変形を容易とするために、充填体２０の金属材料はビッカース硬度が２５０Ｈｖ以下であることが好ましい。
【００２３】
なお、過度にビッカース硬度が低いと充填体２０が傷付き易くなるので、ビッカース硬度は４０Ｈｖ以上であることが好ましい。充填体２０の装着後に、充填体２０に表面の硬度を高くするための処理、例えばアルミ又はアルミ合金の場合であればアルマイト処理等の酸化処理を施してもよい。チタン又はチタン合金の場合は、陽極酸化処理やイオンプレーティング加工などが考えられる。
【００２４】
充填体２０としては、具体的にはチタン、チタン合金、アルミ、ジュラルミンなどのアルミ合金、マグネシウム合金が好適である。
【００２５】
純チタンとしては、１種、２種、３種のグレードのものが約２００Ｈｖ以下であり、圧入するのに充分に柔らかいので好ましい。チタン合金としては、β合金やＴｉ−４．５−３Ｖ−２Ｍｏ−２Ｆｅなど鍛造可能なチタン合金が可能である。アルミニウム合金は、通常の場合約１５０Ｈｖ以下と充分に柔らかいので、特に材料の選択に限定は無いが、鍛造などの成形性の点から１０００系やそれより強度を強めた３０００系のアルミ合金が好ましい。ただし、１０００系のアルミニウムは非常に柔らかいので、表面にアルマイト処理を施し硬くすることが好ましい。ジュラルミンとしては、Ｍｇの低い２０１４などが、鍛造性に優れているので好ましい。
【００２６】
充填体２０の後面の下部には、ヘッド本体１０の背面よりも後方に突出する凸部２１が設けられている。この凸部２１は、充填体２０を凹部１３に圧入した後に機械加工により形成することが好ましい。なお、この機械加工により、併せて、充填体２０の後面の上部を、周囲のヘッド本体１０背面と面一状とするのが好ましい。
【００２７】
充填体２０の装着後、バックウェイト３０を装着し、ソール部１２の後面に溶接により固着する。このバックウェイト３０の前面には、前記充填体の凸部２１を受け入れる凹部３１が設けられ、この凹部３１内には凸部３２が設けられている。この凸部３２は、バックウェイト３０から前方に向って突設されている。この凸部３２は、突出方向の先端側が基端側よりも拡大したアリ形状となっている。この凸部３２の突出方向の高さは０．８〜２．０ｍｍ程度が好ましい。
【００２８】
バックウェイト３０の装着に際しては、バックウェイト３０の凹部３１を充填体２０の凸部２１に嵌合させ、バックウェイト３０を充填体２０に強力に押し付けて凸部２１を塑性変形させ、該凸部２１を凹部３１の内面全体に密着させると共に、凸部３２と充填体２０とをカシメにより固着させる。
【００２９】
バックウェイト３０がヘッド本体１０のソール部１２の後面に重なるまでバックウェイト３０を押し付けた後、バックウェイト３０を該ソール部１２に溶接により固着する。
【００３０】
バックウェイト３０は、凹部１３よりもトウ１５側及びヒール１６側においてもヘッド本体１０の後面に溶接されている。該バックウェイト３０は、充填体２０の下側約半分のみを覆っている。
【００３１】
このバックウェイト３０は、ヘッド本体１０と同一材料であってもよいが、それよりも高比重の金属製としてもよい。このように高比重金属製とすることにより、ゴルフクラブヘッド１の重心深度を十分に深くし、また重心高さを十分に低くすることができる。高比重金属としては、真鍮、青銅、ベリリウム銅などの銅合金や、タングステン合金などがあげられる。タングステン合金としては、比重１０〜１２のタングステン−カッパー合金などが、塑性加工性も良く好ましい。また、タングステン−鉄−ニッケル−銅合金なども軟鉄やステンレス等に溶接が可能であるため、好ましい。
【００３２】
このように構成されたアイアン型ゴルフクラブヘッドは、凹部１３内に低比重金属よりなる充填体２０を装着したものであり、キャビティバックタイプと同様にスイートスポットが広く、またソリッドバックタイプと同様に打感が良く且つスピンの利いた打球を得ることができる。
【００３３】
しかも、バックウェイト３０を設けたことによりゴルフクラブヘッド１の重心深度が深いものとなっているので、スイートスポットが更に広い。加えて、このバックウェイト３０がゴルフクラブヘッド１の下部に配置されており、ゴルフクラブヘッド１の重心高さが低いので、ボールの打出し角度が高くなる。
【００３４】
【実施例】
実施例１
第１〜３図に示すゴルフクラブヘッドを製作した。ヘッド本体１０は低炭素鋼Ｓ２５Ｃ（比重７．８、ビッカース硬度２００Ｈｖ）を熱間鍛造することにより製造した。凸部１４は機械加工により形成した。フェース部厚さｔは２ｍｍとした。凹部１３の深さは、トップ側で６ｍｍ、ソール側で２０ｍｍとした。凸部１４の高さは２ｍｍとした。ロフト角は２６°とした。
【００３５】
充填体２０は第１種純チタン（比重４．５、ビッカース硬度１５０）製とした。充填体２０の素体には、凸部１４と嵌合する大きさの凹部を設けておき、この素体を凹部１３に圧入した。圧入後、ＮＣフライス盤により加工を施して凸部２１を形成した。
【００３６】
バックウェイト３０としては、比重１０のＷ−Ｎｉ−Ｆｅ−Ｃｕ合金製のものを用いた。このバックウェイト３０には凹部３１及び高さ１．５ｍｍの凸部３２を設けてある。凹部３１と充填体２０の凸部２１とを嵌合させた後、圧入した。その後、ヘッド本体１０のソール部１２の背面と、トウ側、ソール側の背面に当接しているバックウェイトの部分をＴＩＧ溶接により固着し、研磨により溶接でできたビード部分を平滑にし、外観良く仕上げた。
【００３７】
このゴルフクラブヘッドにカーボンシャフトを装着し、実打に供して評価を行った結果を表１に示す。
【００３８】
実施例２
バックウェイト３０をヘッド本体１０と同じＳ２５Ｃ材とした他は実施例１と同様にしてゴルフクラブヘッドを製造した。同様の評価テストを行った結果を表１に示す。
【００３９】
比較例１
凹部１３に充填体２０を装着せず、バックウェイト３０のみを装着した他は実施例１と同様にしてゴルフクラブヘッドを製造した。同様の評価テストを行った結果を表１に示す。
【００４０】
比較例２
バックウェイト３０を設けなかった他は実施例１と同様にしてゴルフクラブヘッドを製造し、同様の評価テストを行った結果を表１に示す。
【００４１】
【表１】
2004016737.tif 000003
【００４２】
上記結果より、実施例１，２は、比較例１，２に比べて打感が良く、しかも飛びが安定していることが認められた。
【００４３】
【発明の効果】
以上の通り、本発明によると、打感が良く、しかも飛びが安定しているアイアン型ゴルフクラブヘッドが提供される。
【図面の簡単な説明】
【図１】本発明の実施の形態に係るアイアン型ゴルフクラブヘッドの背後側からの斜視図である。
【図２】第１図のＩＩ−ＩＩ線に沿う断面図である。
【符号の説明】
１　アイアン型ゴルフクラブヘッド
１０　ヘッド本体
１３　凹部
１４　凸部
２０　充填体
２１　凸部
３０　バックウェイト
３２　凸部
【図１】
2004016737.tif 000004
【図２】
2004016737.tif 000005